(57)【要約】【課題】空調効率を向上させることができる低コストな電子機器ユニットを提供することである。【解決手段】電子機器ユニットは、電子機器ラックユニットと、シート部材と、を持つ。電子機器ラックユニットは、吸気口が第１室に接続され、排気口が第２室に接続される電子機器を搭載可能とされている。シート部材は、第１室と第２室との間に配置されている。シート部材は、可撓性を有し、電子機器ラックユニットの上面に向かって垂れ下がっている。シート部材の下端部は、電子機器ラックユニットの上面に沿って折れ曲がっている。シート部材の下端部は、電子機器ラックユニットの上面に載置されている。【選択図】図３
2017162246.tif 000002
【特許請求の範囲】
【請求項１】
吸気口が第１室に接続され、排気口が第２室に接続される電子機器を搭載可能とされた電子機器ラックユニットと、
前記第１室と前記第２室との間に配置され、前記電子機器ラックユニットの上面に向かって垂れ下がった可撓性を有するシート部材と、を備え、
前記シート部材の下端部は、前記電子機器ラックユニットの上面に沿って折れ曲がり、前記電子機器ラックユニットの上面に載置されている、
電子機器ユニット。
【請求項２】
前記電子機器ラックユニットは、隣接する第１電子機器ラックとは高さの異なる第２電子機器ラックを備え、
前記シート部材は、下端部に形成されたスリットにより、前記第１電子機器ラックの上方に配置された第１下端部と、前記第２電子機器ラックの上方に配置された第２下端部と、に分かれ、
前記第１下端部は、前記第１電子機器ラックの上面に沿って折れ曲がり、前記第１電子機器ラックの上面に載置され、
前記第２下端部は、前記第２電子機器ラックの上面に沿って折れ曲がり、前記第２電子機器ラックの上面に載置されている、
請求項１に記載の電子機器ユニット。
【請求項３】
前記シート部材の下端部は、前記電子機器ラックユニットの上面に固定されている、
請求項１または２に記載の電子機器ユニット。
【発明の詳細な説明】
【技術分野】
【０００１】
本発明の実施形態は、電子機器ユニットに関する。
【背景技術】
【０００２】
従来、サーバ（電子機器）を搭載したサーバラック（電子機器ラック）を備えるデータセンタ（電子機器ユニット）がある。データセンタは、サーバの吸気口が接続された冷気室と、サーバの排気口が接続された暖気室と、を有する。このようなデータセンタは、暖気室から吸気し、冷気室に排気する空調機により、冷気室に冷気を供給して、サーバを冷却している。
【０００３】
ここで、サーバラックの上部に天井との隙間が存在すると、その隙間を通じて冷気室と暖気室との間で空気が混合する。これにより、空調効率が低下する。このため、サーバラックと天井との隙間にパネル等の閉塞部材を配置して、隙間を塞ぐことがある。
【０００４】
しかしながら、サーバラックの高さが不均一な場合には、パネル等の閉塞部材とサーバラックとの間に隙間が生じる場合がある。この場合には、密閉性が低下して空調効率が低下する可能性があった。また、サーバラックの高さに変更が生じた場合には、その都度、閉塞部材を再設計する必要があり、施工コストが増加する場合があった。
【先行技術文献】
【特許文献】
【０００５】
【特許文献１】特開２０１４−４３９５９号公報
【発明の概要】
【発明が解決しようとする課題】
【０００６】
本発明が解決しようとする課題は、空調効率を向上させることができる低コストな電子機器ユニットを提供することである。
【課題を解決するための手段】
【０００７】
実施形態の電子機器ユニットは、電子機器ラックユニットと、シート部材と、を持つ。電子機器ラックユニットは、吸気口が第１室に接続され、排気口が第２室に接続される電子機器を搭載可能とされている。シート部材は、第１室と第２室との間に配置されている。シート部材は、可撓性を有し、電子機器ラックユニットの上面に向かって垂れ下がっている。シート部材の下端部は、電子機器ラックユニットの上面に沿って折れ曲がっている。シート部材の下端部は、電子機器ラックユニットの上面に載置されている。
【図面の簡単な説明】
【０００８】
【図１】実施形態のデータセンタの概略構成を示す斜視図。
【図２】実施形態のサーバラックの断面図。
【図３】実施形態の第１サーバラック、第２サーバラックおよびシート部材の斜視図。
【図４】実施形態の第１サーバラック、第２サーバラックおよびシート部材の側面図。
【図５】実施形態のシート部材の平面図。
【発明を実施するための形態】
【０００９】
以下、実施形態の電子機器ユニットを、図面を参照して説明する。
本実施形態では、電子機器ユニットとして、屋内設置用のモジュール型データセンタ（以下、単に「データセンタ」という。）を例にして説明する。
【００１０】
図１は、実施形態のデータセンタの概略構成を示す斜視図である。
図１に示すように、データセンタ１は、室１０と、室１０内に設置された空調機２０およびサーバラックユニット３０（電子機器ラックユニット）と、を主に備えている。サーバラックユニット３０は、整列配置された複数のサーバラック３１を備えている。空調機２０およびサーバラックユニット３０は、複数のサーバラック３１の配列方向に沿って、互いに隣接して配置されている。以下の説明では、複数のサーバラック３１の配列方向を第１方向Ｌ１といい、水平方向のうち第１方向Ｌ１に直交する方向を第２方向Ｌ２という。なお、本実施形態では、１列に並ぶ空調機２０およびサーバラックユニット３０により構成された機器群５が、第２方向Ｌ２に間隔をあけて２列並んで一対で設けられている。
【００１１】
室１０は、例えば骨格を形成するフレーム部材や、壁を形成するパネル部材等により、直方体状に形成されている。室１０は、扉等（不図示）を備え、内外を出入り可能とされている。室１０の内部は、サーバラックユニット３０を挟んで第２方向Ｌ２の中心側が冷気室（第１室）Ｃとされ、外側が暖気室（第２室）Ｈとされている。本実施形態では、冷気室Ｃは、上述した一対の機器群５に挟まれている。
【００１２】
空調機２０は、直方体状に形成されている。空調機２０は、室１０における第１方向Ｌ１の一方側の側壁１０ａに沿って配置されている。上述した各機器群５の空調機２０は、それぞれ室１０における第２方向Ｌ２の両側の側壁１０ｂ，１０ｃから、暖気室Ｈ分の間隔をあけて配置されている。
【００１３】
空調機２０は、冷気を吹き出す吹出口２１と、空気を取り込む吸込口２２と、を備えている。吹出口２１は、空調機２０の側面のうち第２方向Ｌ２の中心側を向く側面に設けられ、冷気室Ｃに接続されている。吸込口２２は、空調機２０の側面のうち第２方向Ｌ２の外側を向く側面に設けられ、暖気室Ｈに接続されている。
【００１４】
サーバラックユニット３０は、空調機２０と、室１０における第１方向Ｌ１の他方側の側壁１０ｄと、の間に配置されている。
上述したサーバラック３１は、直方体の箱状に形成され、室１０内の床面上に設置されている。サーバラック３１の内部には、サーバ３５（電子機器、図２参照）を搭載可能な複数の棚部が形成されている。サーバラック３１の側壁部のうち第２方向Ｌ２の両側の側壁部には、それぞれサーバラック３１の内外を通気可能とする通気部３２が形成されている。通気部３２は、例えば貫通孔等により形成されている。複数のサーバラック３１は、第１方向Ｌ１に沿って列をなして並んでいる。複数のサーバラック３１は、空調機２０と、室１０における第１方向Ｌ１の他方側の側壁１０ｄと、の間に隙間なく並んで配置されている。
【００１５】
複数のサーバラック３１は、種々の高さを有する。本実施形態において、複数のサーバラック３１のうちいずれかの第１サーバラック３１Ａ（第１電子機器ラック）は、隣接する第２サーバラック３１Ｂ（第２電子機器ラック）よりも高さが高くなっている。
【００１６】
図２は、実施形態のサーバラックの概略構成を説明する図であって、第１方向から見た断面図である。
図２に示すように、サーバラック３１の内部には、サーバ３５が上下方向に並んで搭載されている。各サーバ３５同士の隙間、および各サーバ３５とサーバラック３１の内面との隙間は、図示しないパネル等により覆われている。
【００１７】
これらサーバ３５は、発熱体であって、冷気を取り込む吸気口３６と、内部で熱交換されて温度が上昇した暖気を排出する排気口３７と、を備えている。各サーバ３５の吸気口３６は、サーバラック３１の通気部３２を通じて、冷気室Ｃに接続されている。各サーバ３５の排気口３７は、サーバラック３１の通気部３２を通じて、暖気室Ｈに接続されている。
【００１８】
図１および図２に示すように、データセンタ１では、各空調機２０から冷気室Ｃに供給された冷気が各サーバ３５に取り込まれ、各サーバ３５から暖気室Ｈに排出された暖気が各空調機２０に取り込まれる。各サーバ３５は、吸気口３６から冷気室Ｃ内の冷気を取り込むことで冷却される。
【００１９】
ここで、図１に示すように、冷気室Ｃと各暖気室Ｈとの間には、それぞれシート部材４０が配置されている。シート部材４０は、ポリ塩化ビニル等の樹脂材料により形成され、可撓性を有する。シート部材４０は、天井（室１０の天壁１０ｅ）から空調機２０およびサーバラックユニット３０の上面に向かって垂れ下がっている。シート部材４０は、第１方向Ｌ１に沿って室１０の側壁１０ａから側壁１０ｄに亘って配置されている。シート部材４０の上端部は、ねじ等の締結部材により天井に対して固定されている。シート部材４０の下端部４１は、空調機２０およびサーバラックユニット３０の上面に沿って折れ曲がり、空調機２０およびサーバラックユニット３０の上面に載置されている。シート部材４０の下端部４１は、面ファスナ（図１では不図示）等の固定部材により空調機２０の上面、およびサーバラックユニット３０の上面に固定されている。そして、上述した空調機２０およびサーバラックユニット３０に加えてシート部材４０により、冷気室Ｃと暖気室Ｈとの間が区画されている。
【００２０】
以下、シート部材４０のうち、互いに隣接する第１サーバラック３１Ａおよび第２サーバラック３１Ｂの上方に位置する部分を例に挙げて具体的に説明する。
図３は、実施形態の第１サーバラック、第２サーバラックおよびシート部材の斜視図である。図４は、実施形態の第１サーバラック、第２サーバラックおよびシート部材を第１方向の他方側から見た側面図である。図５は、実施形態のシート部材の平面図である。
図３および図５に示すように、シート部材４０は、上下方向の寸法が一定で、第１方向Ｌ１に沿って延びている。シート部材４０の上下方向の寸法は、空調機２０および複数のサーバラック３１の上面のうち最も低い位置にある上面と天井との離間距離よりも長くなっている。シート部材４０の下端部４１には、スリット４２が形成されている。スリット４２は、下端部４１から上方に向かって切り込まれている。スリット４２は、第１サーバラック３１Ａと第２サーバラック３１Ｂとの境界部に対応する位置に形成されている。スリット４２の上端部は、第１サーバラック３１Ａの上面と上下方向において略同じ位置に形成されている。
【００２１】
図３および図４に示すように、シート部材４０の下端部４１は、スリット４２により、第１サーバラック３１Ａの上方に位置する第１下端部４１Ａと、第２サーバラック３１Ｂの上方に位置する第２下端部４１Ｂと、に分かれている。
第１下端部４１Ａは、第１サーバラック３１Ａの上面に沿って折れ曲がり、第１サーバラック３１Ａの上面に載置されている。第１下端部４１Ａは、面ファスナ４３Ａにより第１サーバラック３１Ａの上面に係脱可能に固定されている。面ファスナ４３Ａは、第１下端部４１Ａの折り目に沿って配置されている。
【００２２】
第２下端部４１Ｂは、第２サーバラック３１Ｂの上面に沿って折れ曲がり、第２サーバラック３１Ｂの上面に載置されている。第２下端部４１Ｂは、面ファスナ４３Ｂにより第２サーバラック３１Ｂの上面に固定されている。面ファスナ４３Ｂは、第２下端部４１Ｂの折り目に沿って配置されている。
【００２３】
以下、本実施形態の作用について説明する。
一般に、本実施形態のように、サーバラックユニットを備え、内部が冷気室と暖気室とに区画されたデータセンタでは、サーバラックユニットの上部に天井との隙間が存在する。ここで、サーバラックユニットの上部の隙間を塞ぎ、冷気室と暖気室との間で空気が混合することによる空調効率の低下を防ぐ必要がある。
【００２４】
また、サーバラック３１は、様々な高さを有するものがある。サーバラックユニット３０は、サーバラック３１に搭載されるサーバ３５の変更等に応じて、サーバラック３１を入れ替えることがある。このため、サーバラック３１を入れ替えることにより、サーバラックユニット３０の高さが変化することがある。また、データセンタ１の新設時においても、サーバラックユニット３０が種々の高さを有するサーバラック３１により構成されることがある。
【００２５】
ここで、本実施形態では、冷気室Ｃと暖気室Ｈとの間に配置され、サーバラックユニット３０の上面に向かって垂れ下がった可撓性を有するシート部材４０を備え、シート部材４０の下端部４１は、サーバラックユニット３０の上面に沿って折れ曲がり、サーバラックユニット３０の上面に載置されている構成とした。
この構成によれば、シート部材４０の下端部４１の折れ曲がる位置を適宜調整できるので、サーバラックユニット３０の高さが変化した場合でも、シート部材４０の下端部４１をサーバラックユニット３０の上面に載置できる。これにより、サーバラックユニット３０の上部の隙間に配置する閉塞部材を都度設計することなく、シート部材４０によりサーバラックユニット３０の上部の隙間を気密に塞ぐことができる。よって、施工コストの上昇を抑制しつつ、冷気室Ｃと暖気室Ｈとの間で空気が混合することを防止できる。したがって、空調効率を向上させることができる低コストなデータセンタ１を提供できる。
【００２６】
また、シート部材４０は、下端部４１に形成されたスリット４２により、第１サーバラック３１Ａの上方に配置された第１下端部４１Ａと、第２サーバラック３１Ｂの上方に配置された第２下端部４１Ｂと、に分離されている。このため、サーバラックユニット３０に高さの異なる第１サーバラック３１Ａおよび第２サーバラック３１Ｂが含まれる場合でも、各サーバラック３１Ａ，３１Ｂ間の段差に応じて、シート部材４０の下端部４１をサーバラックユニット３０の上面に対して確実に沿わせることができる。よって、サーバラックユニット３０の上部の隙間を気密に塞ぐことができ、空調効率をより向上させることができる。
【００２７】
しかも、スリット４２の長さは、スリット４２の上端部をテープ等で繋ぎ止めて短くしたり、さらに切り込みを入れて長くしたりする等して適宜調整することができる。このため、第１サーバラック３１Ａまたは第２サーバラック３１Ｂの高さが更に変更された場合でも、シート部材４０の下端部４１をサーバラックユニット３０の上面に対して確実に沿わせた状態を維持させることができる。したがって、シート部材４０を取り換える必要がなくなるので、施工コストの上昇を抑制できる。
【００２８】
また、シート部材４０の下端部４１は、サーバラックユニット３０の上面に固定されているので、サーバラックユニット３０の上部の隙間をより気密に塞ぐことができる。また、室１０の内部の気流によりシート部材４０の下端部４１がめくれ上がるのを防止できる。よって、冷気室Ｃと暖気室Ｈとの間で空気が混合することをより確実に防止できる。したがって、空調効率をより向上させることができる。
【００２９】
なお、上記実施形態では、シート部材４０の下端部４１は、面ファスナ４３Ａ，４３Ｂによりサーバラックユニット３０の上面に固定されているが、これに限定されない。シート部材４０の下端部４１は、例えばボルトや接着剤等によりサーバラックユニット３０の上面に固定されていてもよい。ただし、サーバラック３１の入れ替え時の施工性を考慮し、シート部材４０の下端部４１とサーバラックユニット３０とは、面ファスナ等により係脱自在に固定されることが望ましい。
【００３０】
また、上記実施形態では、主に第１サーバラック３１Ａおよび第２サーバラック３１Ｂの上部における構成について説明したが、空調機２０の上部においても同様である。すなわち、隣接する空調機２０およびサーバラック３１の間に段差が存在する場合であっても、シート部材４０によりサーバラックユニット３０および空調機２０の上部の隙間を気密に塞ぐことができる。なお、空調機２０は、サーバラック３１と比べて高さが変更されることが少ないため、空調機２０の上部の隙間はパネル等の閉塞部材により塞がれていてもよい。
【００３１】
また、上記実施形態では、データセンタ１は、空調機２０およびサーバラックユニット３０により構成された機器群５を一対備えているが、これに限定されない。データセンタは、機器群５を１個備える構成であってもよい。
【００３２】
また、本実施形態の電子機器ユニットは、サーバを搭載可能なサーバラックユニットを備えたデータセンタに適用する場合に限られず、コンピュータや通信機等の電子機器を搭載可能な電子機器ラックユニットを備えた電子機器ユニットに広く適用可能である。
【００３３】
また、上記実施形態では、室１０内に空調機２０が配置された構成としたが、これに限定されない。空調機２０は、室１０の外部に配置され、室１０内の冷気室に冷気を供給するとともに、室１０内の暖気室から暖気を取り込む構成であってもよい。
【００３４】
以上説明した少なくともひとつの実施形態によれば、冷気室と暖気室との間に配置され、サーバラックユニットの上面に向かって垂れ下がった可撓性を有するシート部材を備え、シート部材の下端部は、サーバラックユニットの上面に沿って折れ曲がり、サーバラックユニットの上面に載置されている。これにより、サーバラックユニットの高さが変化する場合でも、シート部材によりサーバラックユニットの上部の隙間を気密に塞ぐことができる。したがって、空調効率を向上させることができる低コストなデータセンタを提供できる。
【００３５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３６】
１…データセンタ、３０…サーバラックユニット（電子機器ラックユニット）、３１Ａ…第１サーバラック（第１電子機器ラック）、３１Ｂ…第２サーバラック（第２電子機器ラック）、３５…サーバ（電子機器）、３６…吸気口、３７…排気口、４０…シート部材、４１…下端部、４１Ａ…第１下端部、４１Ｂ…第２下端部、４２…スリット、Ｃ…冷気室（第１室）、Ｈ…暖気室（第２室）
【図１】
2017162246.tif 000003
【図２】
2017162246.tif 000004
【図３】
2017162246.tif 000005
【図４】
2017162246.tif 000006
【図５】
2017162246.tif 000007